(57)【要約】      （修正有）【課題】特に小さな揺れに対して応答性が良く、大きな揺れに対して制震機能を発揮する制震装置を提供。【解決手段】上部構造物1と床面間に設置される制震装置において、部分球面凹部が形成された上側部材３と、部分球面凹部が形成された下側部材４との間に間挿部材が間挿され、該間挿部材はリング形状の弾性体６と、弾性体６の中心空隙部６１に鋼球５が嵌装され、弾性体の中心空隙部６１の内径が鋼球５の外径より大きく形成された間挿部材または弾性体の中心空隙部６１の内径と鋼球５の外径が同一に形成された間挿部材もしくは弾性体の中心空隙部６１の内径が鋼球５の外径より小さく形成された間挿部材を用いて構成した制震装置。【選択図】図１
2009024473.tif 000002
【特許請求の範囲】
【請求項１】
上部構造物と床面間に設置される制震装置において、
部分球面凹部が形成された上側部材と、部分球面凹部が形成された下側部材との間に間挿部材が間挿され、該間挿部材はリング形状の弾性体と、弾性体の中心空隙部に鋼球が嵌装されていることを特徴とする制震装置。
【請求項２】
弾性体の中心空隙部の内径が鋼球の外径より大きく形成された間挿部材を用いて構成したことを特徴とする請求項１記載の制震装置。
【請求項３】
弾性体の中心空隙部の内径と鋼球の外径が同一に形成された間挿部材、又は、弾性体の中心空隙部の内径が鋼球の外径より小さく形成された間挿部材を用いて構成したことを特徴とする請求項１記載の制震装置。
【請求項４】
鋼球に当接される弾性体の厚さを制震機能に応じた任意の厚さに設定した間挿部材を用いて構成したことを特徴とする請求項１記載の制震装置。
【請求項５】
地震の小さな揺れに対して鋼球のみの転動による応答性を有し、大きな揺れに対しては弾性体及び鋼球が共に部分球面凹部間の抑圧抵抗を受け、制震機能を生じるように構成したことを特徴とする請求項１記載の制震装置。
【請求項６】
高層建築構造物の各階層床面の地震時の予想される振幅の大きさに応じて、弾性体の中心空隙部の内径が鋼球の外径より大きく形成された間挿部材、又は、弾性体の中心空隙部の内径と鋼球の外径が同一に形成された間挿部材、又は、弾性体の中心空隙部の内径が鋼球の外径より小さく形成された間挿部材の何れかを用いた制震装置を選択設置できるように構成したことを特徴とする請求項１記載の制震装置。
【発明の詳細な説明】
【技術分野】
【０００１】  本発明は制震装置に関するもので、特に地震の小さな揺れに対しても応答性が良く、大きな揺れに対して制震機能を発揮できる効果を有する制震装置を提供する。
【背景技術】
【０００２】  地震の震動から構造物を保護するために、種々の免震装置が開発されているが、例えば特開２００２−２６６９３３号公報に見られるように、円錐内ボール収容型アイソレーションベアリング等が公知である。
【特許文献１】  特開２００２−２６６９３３号公報
【０００３】  しかしながら、円錐内ボール収容型アイソレーションベアリングにおいては、地震の小さな揺れに対する応答性はよいが、装置自体には制動機能がないため揺れが納まりにくいという問題があった。
【発明の開示】
【発明が解決しようとする課題】
【０００４】  本発明は前記せる課題を解決するために鋭意研究の結果なされたものであり、地震の小さな揺れに対しても応答性が良く、大きな揺れに対して制震機能を発揮できる制震装置を提供するものである。
【課題を解決するための手段】
【０００５】  上部構造物と床面間に設置される制震装置において、部分球面凹部が形成された上側部材と、部分球面凹部が形成された下側部材との間に間挿部材が間挿され、該間挿部材はリング形状の弾性体と、弾性体の中心空隙部に鋼球が嵌装されていることを特徴とし、弾性体の中心空隙部の内径が鋼球の外径より大きく形成された間挿部材を用いて構成したことを特徴とし、弾性体の中心空隙部の内径と鋼球の外径が同一に形成された間挿部材、又は、弾性体の中心空隙部の内径が鋼球の外径より小さく形成された間挿部材を用いて構成したことを特徴とし、鋼球に当接される弾性体の厚さを制震機能に応じた任意の厚さに設定した間挿部材を用いて構成したことを特徴とし、地震の小さな揺れに対して鋼球のみの転動による応答性を有し、大きな揺れに対しては弾性体及び鋼球が共に部分球面凹部間の抑圧抵抗を受け、制震機能を生じるように構成したことを特徴とし、且つ、高層建築構造物の各階層床面の地震時の予想される振幅の大きさに応じて、弾性体の中心空隙部の内径が鋼球の外径より大きく形成された間挿部材、又は、弾性体の中心空隙部の内径と鋼球の外径が同一に形成された間挿部材、又は、弾性体の中心空隙部の内径が鋼球の外径より小さく形成された間挿部材の何れかを用いた制震装置を選択設置できるように構成したことを特徴とする制震装置を提供する。
【発明の効果】
【０００６】  したがって、本発明制震装置は、小さな揺れに対しても応答性が良く、大きな揺れに対して制震機能を発揮できる効果を有する。
【発明を実施するための最良の形態】
【０００７】  以下、図面に基づき、本発明の制震装置について具体的に説明する。
図面に於いて、図１は本発明に係る制震装置の要部断面図である。図２は本発明に係る制震装置に間挿される間挿部品の部分斜視図である。図３は本発明に係る制震装置の動作を示す要部断面図である。図４は本発明に係る制震装置の間挿部品の他の実施例を示す部分斜視図である。図５は本発明に係る制震装置の間挿部品の他の実施例を示す部分斜視図である。図６は本発明に係る制震装置の間挿部品の他の実施例を示す部分斜視図である。【０００８】  図１に示すように、上部構造物１と基礎部２間に設置される本発明制震装置において、部分球面凹部３１が形成された上側部材３と、部分球面凹部４１が形成された下側部材４との間に間挿部材Ａが間挿されている。【０００９】  該間挿部材Ａは図２に示すように、リング形状の弾性体６と、該弾性体６の中心の空隙部６１に鋼球５が位置するように間挿される。【００１０】  したがって、地震の小さな揺れに対して、鋼球５のみの転動による応答性が良い。即ち鋼球５は弾性体６の中心空隙部６１に位置しているので、地震による小さな震動に鋼球５自体で応答することができる。【００１１】  更に大きな揺れになったときは、図３に示すように小さな揺れで転動した鋼球５が弾性体６に当接され、弾性体６及び鋼球５が共に部分球面凹部３１，４１間の抑圧抵抗を受け弾性体６と共に滑動し、その摩擦力で制震機能が発揮できるように前記間挿部材Ａが構成されている。【００１２】  この結果、本発明制震装置によれば、小さな揺れに対しても応答性が良く、大きな揺れに対しては制震機能を発揮することができる。【００１３】  図４には本発明に係る制震装置の間挿部品の他の実施例を示す部分斜視図が示されているが、この形状の間挿部品の場合は、鋼球５と弾性体６が接触しているので、大きな揺れに対して直ぐに制震機能が作用する構造になっている。【００１４】  したがって、図４に示す間挿部品の場合は、大きな揺れに対して直ぐに制震機能の作用を必要とするような揺れの振幅の大きい階層の床面に適合している。【００１５】  また、図５乃至図６には、それぞれ本発明に係る制震装置の間挿部品の他の実施例を示す部分斜視図が示されているが、図５乃至図６に示す間挿部品の場合は図４の間挿部品の場合に比べて揺れの振幅の小さい階層の床面に適合している。
【図面の簡単な説明】
【００１６】
【図１】  本発明に係る制震装置の要部断面図である。
【図２】  本発明に係る制震装置に間挿される間挿部品の部分斜視図である。
【図３】  本発明に係る制震装置の動作を示す要部断面図である。
【図４】  本発明に係る制震装置の間挿部品の他の実施例を示す部分斜視図である。
【図５】  本発明に係る制震装置の間挿部品の他の実施例を示す部分斜視図である。
【図６】  本発明に係る制震装置の間挿部品の他の実施例を示す部分斜視図である。
【符号の説明】
【００１７】１    上部構造物
２    基礎部
３    上側部材
３１  部分球面凹部
４    下側部材
４１  部分球面凹部
５    鋼球
６    スポンジゴム
６１  空隙部
Ａ    間挿部材
【図１】
2009024473.tif 000003
【図２】
2009024473.tif 000004
【図３】
2009024473.tif 000005
【図４】
2009024473.tif 000006
【図５】
2009024473.tif 000007
【図６】
2009024473.tif 000008